(57)【特許請求の範囲】
【請求項１】
設置面に固定される基部と、前記基部の先端に突設される緩衝部とを具備してなるドアの回転受けとして用いられる戸当りにおいて、
前記基部は、
内部空間を有する柱状の本体部と、
前記本体部の周壁に穿設される露光孔と、
前記本体部の内部空間内の前記露光孔よりも先端側位置に配設され、発光面が設置面方向に向くようにして取り付けられるＬＥＤ光源部材と、が設けられ、
前記ＬＥＤ光源部材からの照射光が前記露光孔を介して前記本体部の外部へ放射されることを特徴とする戸当り。
【請求項２】
前記基部は、前記本体部の内部空間に前記ＬＥＤ光源部材が収納される収納部が設けられる請求項１に記載の戸当り。
【請求項３】
前記基部は、前記本体部の内部空間の先端側位置に周囲の明るさに応じてＬＥＤ光源部材を点灯制御する照度センサ部材が設けられる請求項１又は請求項２に記載の戸当り。
【請求項４】
前記露光孔は、前記本体部の軸方向に沿って長孔状に穿設され、周方向に沿って等間隔に複数設けられる請求項１乃至請求項３のいずれか一項に記載の戸当り。
【請求項５】
前記緩衝部は、前記基部の本体部に対して着脱可能に取り付けられる請求項１乃至請求項４のいずれか一項に記載の戸当り。
【発明の詳細な説明】
【技術分野】
【０００１】
本発明は、戸当りの技術に関し、より詳細には、設置面に固定される基部と、前記基部の先端に突設される緩衝部とを具備してなるドアの回転受けとして用いられる戸当りに関する。
【背景技術】
【０００２】
従来、ドアの回転受けとして用いられる戸当り（ドアストップ）の構成が公知であり、かかる戸当りを所定位置に設置することで、ドアの開閉によりドア本体又はドアノブが柱や壁等の物体に衝突して損傷等するのを防止することができる。一例として図１０に示すように、従来の戸当り１０１は、ダイカスト等により一体成形された金属製の基部１０２と、基部１０２の先端に設けられた戸当りゴムを有する緩衝部１０３等とで構成されており、基部１０２の底面中央に設けられた図示せぬ取付孔にアンカーボルト１０４が螺挿されることで、床面や壁面又はドアの設置面Ｇに立設される。
【０００３】
ところで、近年、住宅やマンション等のインテリア及びエクステリアの業界では、機能性だけでなくデザイン性を求める需要者ニーズの高まりを受けて、単に製品本来の機能を確保する形状に構成されるだけでなく、住環境に配慮した形状、質感、及び色調等にデザインされた製品が提案されるようになっている。これらの製品によれば、住環境や他の製品等と組み合わせ、また相互に調和させる等することで、居住者のライフタイルに合った空間を演出することが可能となり、感性や暮らしの形に合った空間を自由に構成したいと思う居住者の要望に応えるべく、今後益々多様な製品が提案されてくるものと期待されている。
【０００４】
しかしながら、図１０に示したような従来の戸当りに関しては、ドアの回転受けとしての機能を担保するために外観形状が制限されるとともに、金属製の基部と戸当りゴムを有する緩衝部等とで構成されるものであったため、外観上の質感や色調のバリエーションに乏しく、上述した需要者ニーズに合致する製品が未だ提案されていないのが現状である。例えば、従来の戸当りとして、特許文献１に、基部や緩衝部に蓄光材料を用いた発光部を設けて外観上の色調を変更した構成が開示されているが、確かに、かかる構成によれば、蓄光材料にて視認性を向上して夜間の引っ掛けや躓きを防止できるものの、蓄光材料が露出するためデザイン性に劣り、住環境や他の製品等との調和を図ることが難しく、居住者のライフタイルに合った空間を演出することが困難であった。
【先行技術文献】
【特許文献】
【０００５】
【特許文献１】特開平１１−２５６９１５号公報
【発明の概要】
【発明が解決しようとする課題】
【０００６】
そこで、本発明では、戸当りに関し、前記従来の課題を解決するもので、デザイン性に優れ、居住者のライフタイルに合った空間演出が可能な戸当りを提供することを目的とする。
【課題を解決するための手段】
【０００７】
本発明の解決しようとする課題は以上の如くであり、次にこの課題を解決するための手段を説明する。
【０００８】
すなわち、請求項１においては、設置面に固定される基部と、前記基部の先端に突設される緩衝部とを具備してなるドアの回転受けとして用いられる戸当りにおいて、前記基部は、内部空間を有する柱状の本体部と、前記本体部の周壁に穿設される露光孔と、前記本体部の内部空間内の前記露光孔よりも先端側位置に配設され、発光面が設置面方向に向くようにして取り付けられるＬＥＤ光源部材と、が設けられ、前記ＬＥＤ光源部材からの照射光が前記露光孔を介して前記本体部の外部へ放射されるものである。
【０００９】
請求項２においては、前記基部は、前記本体部の内部空間に前記ＬＥＤ光源部材が収納される収納部が設けられるものである。
【００１０】
請求項３においては、前記基部は、前記本体部の内部空間の先端側位置に周囲の明るさに応じてＬＥＤ光源部材を点灯制御する照度センサ部材が設けられるものである。
【００１１】
請求項４においては、前記露光孔は、前記本体部の軸方向に沿って長孔状に穿設され、周方向に沿って等間隔に複数設けられるものである。
【００１２】
請求項５においては、前記緩衝部は、前記基部の本体部に対して着脱可能に取り付けられるものである。
【発明の効果】
【００１３】
本発明の効果として、デザイン性に優れ、居住者のライフタイルに合った空間演出が可能なとなる。
【図面の簡単な説明】
【００１４】
【図１】本発明の一実施例に係る戸当りの全体的な構成を示した斜視図である。
【図２】戸当りの正面図である。
【図３】図２の戸当りの縦断面図である。
【図４】図２のＡ−Ａ矢視断面図である。
【図５】図２のＢ−Ｂ矢視断面図である。
【図６】本実施例の戸当りの照明状態を示した正面図である。
【図７】第二の実施例の戸当りの正面図である。
【図８】第三の実施例の戸当りの縦断面図である。
【図９】図８のＣ−Ｃ矢視断面図である。
【図１０】従来の戸当りの正面図である。
【発明を実施するための形態】
【００１５】
次に、発明を実施するための形態を説明する。なお、以下の実施例においては、図２における矢印Ｘ方向を戸当り１の上下方向とする。
【００１６】
まず、本実施例の戸当り１の全体構成について、以下に説明する。
【００１７】
図１及び図２に示すように、本実施例の戸当り１は、図示せぬドアの回転受けとして構成され、床面や壁面又はドアの設置面Ｇに取り付けて用いられるものである。具体的には、戸当り１は、設置面Ｇに固定される基部２と、基部２の先端に突設される緩衝部３等とを具備してなり、後述するように基部２にＬＥＤ光源部材２２が設けられており、基部２（本体部２０）の内外を照明する照明機能を有している。
【００１８】
図２及び図３に示すように、基部２は、内部空間を有する柱状の本体部２０と、本体部２０の周壁２０ａに穿設される露光孔２１・２１・・・と、本体部２０の内部空間内に露光孔２１・２１・・・よりも先端側位置に発光面が設置面方向に向くようにして配設されるＬＥＤ光源部材２２と、周囲の明るさに応じてＬＥＤ光源部材２２を点灯制御する照度センサ部材２３等とが設けられており、ＬＥＤ光源部材２２からの照射光が露光孔２１・２１・・・を介して本体部２０の外部へ放射されるように構成されている（図６参照）。
【００１９】
本体部２０は、断面円形の筒状部材として構成され、内部中央に断面円形状の内部空間が形成され、周壁２０ａに穿設された露光孔２１・２１・・・を介して内部空間と外部空間とが連通されている。また、本体部２０の他端側（下端側）には、台座２０ｂが径方向に向けて突設され、本体部２０の底面中央には、底面に開口された取付孔２０ｃが設けられている。本実施例の戸当り１は、設置面Ｇに埋設されたアンカーボルト４が取付孔２０ｃに螺挿されることで、設置面Ｇに台座２０ｂが当接された状態で立設される。
【００２０】
本体部２０の内部空間には、先端側位置（上方位置）に形成されＬＥＤ光源部材２２及び照度センサ部材２３が収納される収納部２４と、収納部２４よりも設置面側位置（下方位置）に形成されＬＥＤ光源部材２２からの照射光にて照明される照明部２５とが設けられている。本実施例の本体部２０では、収納部２４が形成される周壁２０ａには露光孔２１が穿設されず、照明部２５が形成される周壁２０ａに露光孔２１・２１・・・が穿設されている。
【００２１】
収納部２４は、側方が周壁２０ａに囲繞され、先端（上端）が後述する緩衝部３にて閉止されており、他端（下端）に後述するＬＥＤ光源部材２２（ＬＥＤ光源２２ａ）からの照射光が照明部２５へ向けて照射される照射孔２４ａが開口されている。本実施例の戸当り１は、照射孔２４ａが透光性部材２６にて閉止されており、照射孔２４ａを介してＬＥＤ光源部材２２及び照度センサ部材２３が外部空間に露出しないように形成されている。透光性部材２６は、透明又は半透明のプラスチック板等の透光性を有する部材より構成され、断面円形状に形成されて本体部２０の内部空間に係止されている。
【００２２】
照明部２５は、側方が露光孔２１・２１・・・が穿設された周壁２０ａに囲繞され、露光孔２１・２１・・・を介して外部空間と連通されている。照明部２５は、上述した照射孔２４ａを介して収納部２４と連続されており、ＬＥＤ光源部材２２（ＬＥＤ光源２２ａ）からの照射光にて照明される（図６参照）。
【００２３】
図２乃至図５に示すように、露光孔２１は、本体部２０の内部空間（照明部２５）と外部空間とを連通する貫通孔として周壁２０ａに形成され、具体的には、本体部２０の軸方向（上下方向）に沿って長孔状に穿設され、周方向に沿って等間隔に複数設けられている（本実施例では７個、図５参照）。本実施例の戸当り１は、ＬＥＤ光源部材２２（ＬＥＤ光源２２ａ）からの照射光、及び照明部２５内にて周壁２０ａの内周面等にて反射された間接光が露光孔２１・２１・・・を介して本体部２０の外部へ放射される（図６参照）。
【００２４】
図２乃至図４に戻って、ＬＥＤ光源部材２２は、平板状のＬＥＤ光源２２ａと、ＬＥＤ光源２２ａを固定する平面視円形状の配線基板２２ｂ等とからなるＬＥＤモジュールとして構成されている。ＬＥＤ光源２２ａは、所定の色調の照射光を照射可能な一つ又は複数の平板状のＬＥＤチップ（素子）が用いられ、配線基板２２ｂの接続端子と電気的に接続されて装着されている。ＬＥＤ光源部材２２は、収納部２４に収納され、ＬＥＤ光源２２ａの発光面が設置面方向（下方）に向くようにして配線基板２２ｂが水平状態で配設され、照射孔２４ａより照明部２５に照射可能に取り付けられる。
【００２５】
照度センサ部材２３は、照度センサ２３ａと、照度センサ２３ａを固定する平面視矩形状の配線基板２３ｂ等とからなるセンサモジュールとして構成されている。照度センサ２３ａは、所定の照度範囲にて戸当り１の周囲の明るさを検知可能なフォトトランジスタ等が用いられ、配線基板２３ｂの接続端子と電気的に接続されて装着されている。照度センサ部材２３は、収納部２４のＬＥＤ光源部材２２の上方位置に収納され、照度センサ２３ａが後述する緩衝部３に設けられた採光孔３１ａの下方に位置するようにして配線基板２３ｂが垂直状態で配設され、採光孔３１ａを介して周辺の明るさを検知可能に取り付けられる。
【００２６】
なお、ＬＥＤ光源部材２２及び照度センサ部材２３は、図示せぬ電源供給用ケーブルを介して外部電源と接続されている。本実施例の戸当り１では、ＬＥＤ光源部材２２及び照度センサ部材２３の実装構造や電源供給用ケーブルの接続構造等は特に限定されず、例えば、ＬＥＤ光源部材２２又は照度センサ部材２３に接続された電源供給用ケーブルが、本体部２０の内部空間を周壁２０ａに沿って設置面方向（下方）に向けて延出され、本体部２０の底面より機外に引き出されるように構成されてもよい。
【００２７】
図２及び図３に示したように、緩衝部３は、基部２の本体部２０に対して着脱可能に取り付けられ、具体的には、平面視円形状に形成された公知の戸当りゴム３０と、戸当りゴム３０が一体に嵌装される連結部材３１等とで構成されている。戸当りゴム３０は、緩衝部３が基部２に取り付けられた状態で、基部２（本体部２０）対して径方向に突出されており、ドアが基部２に接触することなく当接可能とされている。
【００２８】
連結部材３１は、断面略凹状の内周面にねじ山（めねじ）が螺刻されており、外周面にねじ山（おねじ）が螺刻された本体部２０の先端と螺合可能とされており、緩衝部３が基部２に取り付けられた状態で、連結部材３１にて収納部２４の先端（上端）が閉止される。連結部材３１の天面中央には、貫通孔としての採光孔３１ａが穿設されており、採光孔３１ａを介して照度センサ部材２３にて周囲の明るさが検知可能とされている。本実施例の戸当り１は、採光孔３１ａが透光性部材２７にて閉止されており、採光孔３１ａを介してＬＥＤ光源部材２２及び照度センサ部材２３が外部空間に露出しないように形成されている。なお、透光性部材２７は、透明又は半透明のプラスチック板等の透光性を有する部材より構成され、断面凸状のピン形状に形成されて採光孔３１ａ内に挿入されている。
【００２９】
次に、図２及び図６を参照しながら、本実施例の戸当り１の照明機能について、以下に説明する。
【００３０】
まず、昼間等の周囲が明るい状態では、照度センサ部材２３にてＬＥＤ光源部材２２が消灯されている（図２等参照）。一方、夜間等の周囲が暗くなった状態では、照度センサ部材２３にてＬＥＤ光源部材２２が点灯制御され、ＬＥＤ光源部材２２のＬＥＤ光源２２ａが発光される（図６参照）。このとき、ＬＥＤ光源部材２２（ＬＥＤ光源２２ａ）からの照射光は、収納部２４の照射孔２４ａを介して照明部２５内に放射され、さらに、ＬＥＤ光源部材２２（ＬＥＤ光源２２ａ）からの直接光、及び照明部２５内にて周壁２０ａの内周面等にて反射された間接光が露光孔２１・２１・・・を介して本体部２０の外部へ放射される。このようにして、本実施例の戸当り１は、照明部２５からの漏れ光により外部空間を照らす照明効果とともに、設置面Ｇを照らす照明効果が発揮されるように構成される。
【００３１】
本実施例の戸当り１は、明るさ、光の見え方（色温度）、ものの見え方（演色性）、グレア、及び配光等に配慮した照明設計を行うことで、インテリア又はエクステリアとして住環境等と調和させた所定の空間を容易に演出することができる。特に、本実施例の戸当り１は、演出照明の観点から設計されるのが好ましく、照明効果をより効果的に発揮させるように、例えば、ＬＥＤ光源２２ａの出力や色温度、ＬＥＤ光源部材２２の配置構成、及び露光孔２１・２１・・・の形状や配置等が適宜設定される。
【００３２】
以上のように、本実施例の戸当り１は、設置面Ｇに固定される基部２と、基部２の先端に突設される緩衝部３とを具備してなるドアの回転受けとして用いられる戸当り１において、基部２は、内部空間を有する柱状の本体部２０と、本体部２０の周壁２０ａに穿設される露光孔２１・２１・・・と、本体部２０の内部空間内の露光孔２１・２１・・・よりも先端側位置に配設され、発光面が設置面方向に向くようにして取り付けられるＬＥＤ光源部材２３と、が設けられ、ＬＥＤ光源部材２３からの照射光が露光孔２１・２１・・・を介して本体部２０の外部へ放射されるため、デザイン性に優れ、居住者のライフタイルに合った空間演出が可能なとなる。
【００３３】
すなわち、本実施例の戸当り１は、内部空間にＬＥＤ光源部材２３が設けられ、ＬＥＤ光源部材２３からの照射光が露光孔２１・２１・・・を介して本体部２０の外部へ放射されるように構成されるため、露光孔２１・２１・・・を介した漏れ光により外部空間とともに設置面Ｇを照らす照明効果が発揮され、かかる照明効果により、戸当り１の本来の外観上の質感や色調に寄らず、環境や他の製品等と組み合わせ、また相互に調和させることで、居住者のライフタイルに合った空間を容易に演出することができる。また、本体部２０の周壁２０ａに露光孔２１・２１・・・が穿設されるため、露光孔２１・２１・・・の形状や配置を変更等することで外観形状のバリエーションが豊富となり、デザイン性に富んだ製品とすることができる。
【００３４】
特に、本実施例の戸当り１においては、基部２は、本体部２０の内部空間にＬＥＤ光源部材２２が収納される収納部２４が設けられるため、ＬＥＤ光源部材２２の配置構成が容易となるとともに、外部空間と隔離して収納部２４への異物混入や浸水を防ぐことで、ＬＥＤ光源部材２２の故障を防止し、ＬＥＤ光源部材２２による照明効果を安定して持続することができる。
【００３５】
また、基部２は、本体部２０の内部空間の先端側位置に周囲の明るさに応じてＬＥＤ光源部材２２を点灯制御する照度センサ部材２３が設けられるため、戸当り１の周囲が暗くなる夜間等にＬＥＤ光源部材２２を自動点灯させて照明効果を発現させることができ、夜間照明による空間演出が容易となり、また節電効果によるＬＥＤ光源部材２２の長寿命化も図ることができる。
【００３６】
また、露光孔２１は、本体部２０の軸方向に沿って長孔状に穿設され、周方向に沿って等間隔に複数設けられるため、本体部２０の軸方向及び周方向の広範に渡る演出照明が可能となるため、より自由度の高い空間演出が可能となる。
【００３７】
また、緩衝部３は、基部２の本体部２０に対して着脱可能に取り付けられるため、内部空間に配置されるＬＥＤ光源部材２２の交換やメンテナンスが容易であり、また、緩衝部３が基部２と別体に形成されることで、例えば、色調の異なる複数の部材を組み合わせて新たな外観の製品を創出する等、従来画一的であったデザイン面での課題を改善することができる。
【００３８】
なお、戸当りの構成としては、上述した実施例に限定されず、本発明の目的を逸脱しない限りにおいて種々の変更が可能である。
【００３９】
すなわち、上述した実施例の戸当り１では、本体部２０の収納部２４に内部空間にＬＥＤ光源部材２２及び照度センサ部材２３が配設される構成について説明したが、照度センサ部材２３については、必ずしも設けられる必要はなく、例えば、照度センサ部材２３の代わりに、人間の所在を検知してＬＥＤ光源部材２２を点灯制御する人感センサ部材が設けられてもよい。このように人感センサ部材を用いることで、照度センサ部材を用いる場合と比べて周囲に人間がいない状態での消費電力を低減して、節電効果によるＬＥＤ光源部材２２の長寿命化を図ることができる。
【００４０】
具体的には、図７に示す実施例の戸当り１では、人感センサ部材２８は、人感センサ２８ａと、人感センサ２８ａを固定する平面視矩形状の配線基板２８ｂ等とからなるセンサモジュールとして構成されている。人感センサ２８ａは、所定の視野角及び距離にて人間の所在を検知可能で焦電型赤外線センサ等が用いられ、図示せぬフレネルレンズとともに配線基板２８ｂの接続端子と電気的に接続されて装着されている。かかる場合には、本体部２０の周壁２０ａには、貫通孔としての採光孔２０ｄが穿設され、採光孔２０ｄを介して人感センサ部材２８にて周囲の人間の所在が検知可能とされている。
【００４１】
なお、図７に示した実施例では、収納部２４には、上述した実施例（図３等）で示した透光性部材２６・２７等が設けられていないが、かかる構成はこれに限定されず、照射孔２４ａ又は採光孔２０ｄが透光性部材にて閉止されて、ＬＥＤ光源部材２２や人感センサ部材２８が外部空間に露出しないように形成されてもよい。
【００４２】
また、上述した実施例の戸当り１では、収納部２４にＬＥＤ光源部材２２において配線基板２２ｂが水平状態となるように配設され、照度センサ部材２３において配線基板２３ｂが垂直状態となるように配設されて収納される構成について説明したが、かかるＬＥＤ光源部材２２及び照度センサ部材２３の配置構成はこれに限定されず、少なくともＬＥＤ光源部材２２において発光面が設置面方向に向くように取り付けられればよい。特に、ＬＥＤ光源部材２２に関しては、照射光の配光が設置面方向に向いていればよく、ＬＥＤ光源２２ａが傾斜して取り付けられたり、本体部２０に照射光の反射部材や拡散部材等が設けられたりしてもよい。
【００４３】
また、上述した実施例の戸当り１では、照明部２５は、側方が露光孔２１・２１・・・が穿設された周壁２０ａに囲繞され、露光孔２１・２１・・・を介して外部空間と連通されるように構成されているが、例えば、図８及び図９に示す実施例の戸当り１のように、さらに本体部２０の照明部２５において周壁２０ａの内周面に沿って筒状の同素材の透光性部材２９を別途設け、かかる透光性部材２８にて照明部２５への異物混入や浸水等を防止するように構成してもよい。
【００４４】
また、上述した実施例の戸当り１では、露光孔２１が本体部２０の軸方向に沿って長孔状に穿設され、周方向に沿って等間隔に複数設けられる構成について説明したが、このように露光孔２１の形状や配置が縦ボーダー状とされる構成に限定されず、例えば、横ボーダー状、格子状、ツイル状、杉綾状、ドット状、又は鹿の子状等となるように構成されてもよく、多様な外観形状となるようにデザインすることができる。
【符号の説明】
【００４５】
１      戸当り
２      基部
３      緩衝部
２０    本体部
２０ａ  周壁
２１    露光孔
２２    ＬＥＤ光源部材
２２ａ  ＬＥＤ光源
２２ｂ  配線基板
２３    照度センサ部材
２３ａ  照度センサ
２３ｂ  配線基板
２４    収納部
２４ａ  照射孔
２５    照明部
２６    透光性部材
２７    透光性部材
３０    戸当りゴム
３１    連結部材
３１ａ  採光孔
【図１】
0006501153.tif 000002
【図２】
0006501153.tif 000003
【図３】
0006501153.tif 000004
【図４】
0006501153.tif 000005
【図５】
0006501153.tif 000006
【図６】
0006501153.tif 000007
【図７】
0006501153.tif 000008
【図８】
0006501153.tif 000009
【図９】
0006501153.tif 000010
【図１０】
0006501153.tif 000011